(57)【要約】【課題】  ゴンドラ等の送受信モジュール整備用の追加設備を設けることなく、アレイアンテナ装置の送受信モジュールの整備作業を行う作業スペースを確保する。【解決手段】  アンテナ装置筐体の前面側に設けられ、アンテナ素子を有する複数の送受信モジュールが前面側から挿入されたアレイアンテナ部と、前記アンテナ装置筐体の前面側に設けられた回転部材に取り付けられて使用され、前記送受信モジュールを駆動するときは前記アンテナ部の前面部分を覆って前記アレイアンテナ部を保護し、前記送受信モジュールを交換するときは前記回転部材により回転して前記アレイアンテナ部の前面部分を開放状態とするフィードーム部と、このフィードーム部の回転に伴い回転して前記アレイアンテナ部の前面部分を開放状態としたときに前記送受信モジュールの整備作業を行う作業者の足場を構成する作業台とを備えた。【選択図】        図３
2006093997.tif 000002
【特許請求の範囲】
【請求項１】
アンテナ装置筐体の前面側に設けられ、アンテナ素子を有する複数の送受信モジュールが前面側から挿入されたアレイアンテナ部と、このアレイアンテナ部より下方であって、前記アンテナ装置筐体の前面側に設けられた回転部材に取り付けられて使用され、前記送受信モジュールを駆動するときは前記アンテナ部の前面部分を覆って前記アレイアンテナ部を保護し、前記送受信モジュールを交換するときは前記回転部材により回転して前記アレイアンテナ部の前面部分を開放状態とするフィードーム部と、このフィードーム部が前記アレイアンテナ部の前面部分を覆っているときに前記アレイアンテナ部より下方の前記アンテナ装置筐体と対向して配置され、前記フィードーム部を回転させて前記アレイアンテナ部の前面部分を開放状態としたときに前記フィードーム部に伴い回転して前記送受信モジュールの整備作業を行う作業者の足場を構成する作業台とを備えたことを特徴とするアレイアンテナ装置。
【請求項２】
前記フィードーム部に取り付けたワイヤーロープと接続する巻上げ機の稼動により前記フィードーム部を回転させるようにしたことを特徴とする請求項１記載のアレイアンテナ装置。
【請求項３】
前記作業台を折りたたみ可能に構成し、前記フィードーム部が前記アレイアンテナ部の前面部分を覆っているときには前記作業台を折りたたみ状態にしたことを特徴とする請求項１記載のアレイアンテナ装置。
【請求項４】
前記アレイアンテナ部の前面部分を開放状態としたときの前記フィードーム部の位置を所定位置に固定する固定手段を設けたことを特徴とする請求項１記載のアレイアンテナ装置。
【請求項５】
移動体に搭載されたアンテナ装置筐体の前面側に設けられ、アンテナ素子を有する複数の送受信モジュールが挿入された前面挿抜方式のアレイアンテナ部と、このアレイアンテナ部より下方であって、前記アンテナ装置筐体の前面側に設けられた回転部材に取り付けられて使用され、前記送受信モジュールを駆動するときは前記アンテナ部の前面部分を覆って前記アレイアンテナ部を保護し、前記送受信モジュールを交換するときは前記回転部材により回転して前記アレイアンテナ部の前面部分を開放状態とするフィードーム部と、このフィードーム部が前記アレイアンテナ部の前面部分を覆っているときに前記アレイアンテナ部より下方の前記アンテナ装置筐体と対向して配置され、前記フィードーム部を回転させて前記アレイアンテナ部の前面部分を開放状態としたときに前記フィードーム部に伴い回転して前記送受信モジュールの整備作業を行う作業者の足場を構成する作業台とを備えたことを特徴とするアレイアンテナ装置。
【発明の詳細な説明】
【技術分野】
【０００１】
この発明は、送受信モジュールの点検、交換等の整備作業性に優れ、かつ、車両の荷台等に搭載されて使用される移動体搭載型のフェーズドアレイアンテナ等に適するアレイアンテナ装置に関する。
【背景技術】
【０００２】
フェイズドアレイアンテナ等のアレイアンテナ装置は、複数個の送受信モジュールを配置して構成されており、これら送受信モジュールが一定数以上故障した場合には、所要のアンテナ特性を維持するため、故障が生じた送受信モジュールを正常な送受信モジュールと交換する必要がある。一方、送受信モジュールが作業者の手が届かないような高所に設置されるアレイアンテナ装置の場合は、送受信モジュールの点検、交換等の整備作業用の足場を確保することが必要であり、例えば、整備作業用ゴンドラ、足場台等を使用して送受信モジュールの整備作業を行うことが提案されている。
【０００３】
【特許文献１】特開２００３−１６３５１８（第２頁−第３頁、図１、図７）
【０００４】
【特許文献２】特開平８−７８９２５
【発明の開示】
【発明が解決しようとする課題】
【０００５】
しかし、従来のアレイアンテナ装置は以上のように構成されているので、送受信モジュールの点検、交換等の整備作業を行う度に整備作業用ゴンドラ、足場台等の追加設備が必要となり、また、これらの追加設備を設置するための時間と手間を要するという問題点があった。
【０００６】
一方、車両の荷台等に搭載して使用されるような移動体搭載型のフェーズドアレイアンテナ等の場合には、送受信モジュールが比較的高所に配置される一方、設置スペースとの関係上、ゴンドラ等送受信モジュールの点検、交換等の整備作業用の追加設備を準備、設置することが困難であり、送受信モジュールの整備作業を行う作業スペースを確保することが難しいという問題点がある。
【０００７】
この発明は、上記のような課題を解決するためになされたもので、作業者の手が届かないような高所に設置されたアレイアンテナ装置における送受信モジュールの点検、交換等の整備作業性に優れ、かつ、ゴンドラ等の送受信モジュール整備作業用の追加設備を設けることなく、送受信モジュールの点検、交換等の整備作業を行う作業スペースを容易に確保することができる新規なアレイアンテナ装置を提供することを目的とする。
【課題を解決するための手段】
【０００８】
この発明に係るアレイアンテナ装置は、アンテナ装置筐体の前面側に設けられ、アンテナ素子を有する複数の送受信モジュールが前面側から挿入されたアレイアンテナ部と、このアレイアンテナ部より下方であって、前記アンテナ装置筐体の前面側に設けられた回転部材に取り付けられて使用され、前記送受信モジュールを駆動するときは前記アンテナ部の前面部分を覆って前記アレイアンテナ部を保護し、前記送受信モジュールを交換するときは前記回転部材により回転して前記アレイアンテナ部の前面部分を開放状態とするフィードーム部と、このフィードーム部が前記アレイアンテナ部の前面部分を覆っているときに前記アレイアンテナ部より下方の前記アンテナ装置筐体と対向して配置され、前記フィードーム部を回転させて前記アレイアンテナ部の前面部分を開放状態としたときに前記フィードーム部に伴い回転して前記送受信モジュールの整備作業を行う作業者の足場を構成する作業台とを備えたものである。
【０００９】
また、他の発明に係るアレイアンテナ装置は、移動体に搭載されたアンテナ装置筐体の前面側に設けられ、アンテナ素子を有する複数の送受信モジュールが挿入された前面挿抜方式のアレイアンテナ部と、このアレイアンテナ部より下方であって、前記アンテナ装置筐体の前面側に設けられた回転部材に取り付けられて使用され、前記送受信モジュールを駆動するときは前記アンテナ部の前面部分を覆って前記アレイアンテナ部を保護し、前記送受信モジュールを交換するときは前記回転部材により回転して前記アレイアンテナ部の前面部分を開放状態とするフィードーム部と、このフィードーム部が前記アレイアンテナ部の前面部分を覆っているときに前記アレイアンテナ部より下方の前記アンテナ装置筐体と対向して配置され、前記フィードーム部を回転させて前記アレイアンテナ部の前面部分を開放状態としたときに前記フィードーム部に伴い回転して前記送受信モジュールの整備作業を行う作業者の足場を構成する作業台とを備えたものである。
【発明の効果】
【００１０】
この発明によれば、作業者の手が届かないような高所に設置されたアレイアンテナ装置における送受信モジュールの点検、交換等の整備作業において、足場や整備作業用ゴンドラ等の追加設備を使用することなく容易に作業スペースを確保することができ、送受信モジュールの点検、交換等の整備作業を確実かつ容易に行うことができる。また、これらの追加設備を設置する時間と手間を削減することができ、送受信モジュールの点検、交換等の整備作業を効率的に行うことができる。
【発明を実施するための最良の形態】
【００１１】
実施の形態１．
以下、この発明の実施の形態１について図１乃至図４を用いて説明する。図１は実施の形態１によるアレイアンテナ装置であって、送受信モジュールを駆動させてレーダ電波を送受信する際の運用状態を示す正面図、図２はその右側面図である。また、図３は実施の形態１によるアレイアンテナ装置であって、送受信モジュールの点検、交換等の整備作業等を行う際の運用状態を示す側面図、図４はその上面図である。なお、この発明に係るアレイアンテナ装置は、アンテナ素子を有した各送受信モジュールをアンテナ装置筐体の前面側からそれぞれ挿入して取り付ける前面挿抜方式のアレイアンテナ装置であり、例えば、図１に示すように、送受信モジュールを駆動させてレーダ電波を送受信する際にはこれら複数の送受信モジュールのアンテナ素子によって構成されるアンテナ開口面の前面部分がフィードームによって覆われており、送受信モジュールの点検、交換等ができない状態となっている。
【００１２】
図１乃至図４において、１は後述する複数個の送受信モジュールが挿入されたフェイズドアレイアンテナ部（以下、アレイアンテナ部という。）、２はアレイアレイアンテナ部１が取り付けられたプレート等の筐体（以下、アンテナ装置筐体という。）、３はアレイアレイアンテナ部１が接触しないように形成されたドーム状のアンテナ収納部３ａ及び送受信モジュールの点検、交換等の整備作業を行う際に作業者の足場を構成する作業台３ｂが設けられたフィードーム部、４はアレイアンテナ部１の下方であって、アンテナ装置筐体２の前面側に一方が固定され、他方側にフィードーム部３の下端部を取り付けたヒンジ等の回転部材、５はフィードーム部３の上部に設けられたロープ固定部、６はアレイアレイアンテナ部１が取り付けられた面とは反対側であって、アンテナ装置筐体２の背面側に取り付けられた巻上げ機、７は巻上げ機６に一方側が接続され、他方側がアンテナ装置筐体２に設けられた穴部８を通してフィードーム部３のロープ固定部５にそれぞれ取り付けられた一組のワイヤーロープ、９は作業者、１０はそれぞれアレイアレイアンテナ部１に挿入されて使用されるアンテナ素子を有する送受信モジュールである。図１乃至図４に示すように、フィードーム部３は回転部材４を介してアンテナ装置筐体２に取り付けられており、図３に示した矢印方向に回転する。アンテナ装置筐体２の背面側には、後述する発電機（電源部）、電子機器等と電気的に接続された配線が配設されており、これらの配線とアレイアレイアンテナ部１とが電気的に接続するよう構成されている（図示省略する。）。
【００１３】
また、巻上げ機６はモータ（電動式）又はウィンチ（手動式）等、いずれの方式のものを使用してもよく、作業者９等の操作によって稼動し、ワイヤロープ７を巻き上げ等する。図１及び図２は巻上げ機６が稼動してワイヤロープ７が巻き上げられた状態を示しており、フィードーム部３によってアレイアンテナ部２の前面部分が覆われた状態となっている。この際、アレイアンテナ部１はフィードーム部３のアンテナ収容部３ａ内に配置されるので、アレイアンテナ部１とフィードーム部３とが接触することはない。
【００１４】
次に動作について説明する。まず、送受信モジュール１０を駆動させてレーダ電波を送受信する場合は、図１及び図２に示すような運用状態で使用される。この状態では、アレイアンテナ部１の前面部分がフィードーム部３によって覆われており、アレイアンテナ部１が風、雨等から保護されている。したがって、送受信モジュール１０を駆動している間は、正常にレーダ電波を送受信することができる。なお、アレイアンテナ部１の前面部分がフィードーム部３によって覆われている状態では、アレイアンテナ部１を外側から目視することはできないが、参考のためアレイアンテナ部１とフィードーム部３のアンテナ収納部３ａ等との位置関係を破線で図示している。
【００１５】
次に、送受信モジュール１０の点検、交換等の整備作業を行う場合について説明する。送受信モジュール１０の点検、交換等を行う場合は、フィードーム部３を回転させて図１及び図２に示すような状態から図３及び図４に示すような状態にする。具体的には、フィードーム部３が回転部材４によってアンテナ装置筐体２に回転可能に取り付けられているので、作業者９等が巻上げ機６を巻上げ方向と逆方向、すなわちワイヤロープ７を伸ばす方向に稼動させることによりワイヤロープ７が巻き戻され、フィードーム部３が回転部材４を中心としてアレイアンテナ部１の前面部分を開放する方向に回転する。フィードーム部３の固定部５には巻上機６に接続されたワイヤロープ７の他方側が接続されており、巻上げ機６の稼動を停止するとその位置でフィードーム部３の回転も停止する。そして、フィードーム部３の作業台３ｂの作業面が地面とほぼ水平となる位置で巻上げ機６の稼動を停止させ、フィードーム部３の位置を固定することにより、アレイアンテナ部１の前面部分が開放状態となり、アレイアンテナ部１の前面部分に図３及び図４に示すような送受信モジュール１０の点検、交換等を行うための作業スペースが構成される。このときフィードーム部３の作業台３ｂが作業者９等の足場を構成する。作業者９等はこの作業台３ｂ上に乗って送受信モジュール１０の点検、交換等の整備作業を行う。
【００１６】
このように、フィードーム部３を地面とほぼ垂直方向であって、フィードーム部３の下端部を回転可能に支持した回転部材を支点として回転させるので、アレイアンテナ部１の下方に配置されたフィードーム部３の作業台３ｂは、送受信モジュール１０を駆動させてレーダ電波を送受信する場合はアレイアンテナ部１の前面部分を覆うフィードーム部３の一部として構成され、送受信モジュール１０の点検、交換等の整備作業を行う場合には作業者９等の足場として構成され、ゴンドラ等の送受信モジュールの点検、交換等の整備作業用の追加設備を設けることなく、送受信モジュール１０の点検、交換等の整備作業を行う作業スペースを確保することができる。
【００１７】
ここで、作業台３ｂの寸法等について説明する。作業台３ｂの寸法を大きくするほど作業者９等が送受信モジュール１０を点検、交換等する際の足場を広く設けることができ、作業者９等の作業性を向上させることができるが、アレイアンテナ装置の運用時には、フィードーム部３の作業台３ｂがアレイアンテナ部１と干渉しない、具体的にはレーダ電波の送受信を行う部分であるアレイアンテナ部１の前面部分を覆わない構造とする必要があり、図１乃至図４に示すように作業台３ｂとアレイアンテナ部１とが干渉しないように構成することが必要である。したがって、アレイアンテナ部１の寸法が比較的大きくなる場合、例えば、アレイアンテナ部１のアンテナ開口面を広く構成する場合あるいは複数の周波数を共用するアレイアンテナ装置を構成する場合等には、作業台３ｂの寸法を小さくして作業台３ｂとアレイアンテナ部１とが干渉しないように構成することが必要である。
【００１８】
また、フィードーム部３及び作業台３ｂの材料については、アレイアンテナ部１によるレーダ電波の送受信の妨げにならない材料、例えば、従来から用いられている繊維強化プラスチックス等を用いる。また、送受信モジュール１０の点検、交換等の整備作業中にフィードーム部３、作業台３ｂ、回転部材４あるいはワイヤロープ７等が破壊しないようこれらの材料及び構造をそれぞれ選択する。
【００１９】
以上のように、実施の形態１によるアレイアンテナ装置によれば、フィードーム部３を回転部材４を介してアンテナ装置筐体２に取り付け、このフィードーム部３を回転部材４を介して回転可能に構成する一方、フィードーム部３に送受信モジュール１０を駆動させてレーダ電波を送受信する場合にはアレイアンテナ部１の前面部分を覆うフィードーム部３の一部として構成され、送受信モジュール１０の点検、交換等を行う場合には作業者９等の足場として構成される作業台３ｂを設けたので、ゴンドラ等の送受信モジュールの交換ないし整備用の追加設備を設けることなく、送受信モジュール１０の点検、交換等の整備作業を行う作業スペースを確保することができ、送受信モジュール１０の点検、交換等の整備作業を確実かつ容易に行うことができる。
【００２０】
実施の形態２．
次に、この発明の実施の形態２についてさらに図５乃至図８を用いて説明する。実施の形態１によるアレイアンテナ装置では、フィードーム部３の一部を作業台３ｂとして構成するので、ゴンドラ等の送受信モジュールの点検、交換等の整備作業用の追加設備を設けることなく、送受信モジュール１０の点検、交換等の整備作業を行う作業スペースを確保することができるものの、アレイアンテナ部１の寸法が比較的大きく構成される場合には、フィードーム部３の寸法自体を大きくしたり、作業台３ｂの寸法を狭く構成する必要がある。実施の形態２では、このようにアレイアンテナ部１の寸法が比較的大きくなる場合であっても、アレイアンテナ部１と作業台とが互いに干渉せず、かつ、作業者９等の足場を構成する作業台のスペースを広く設けることができるアレイアンテナ装置について説明する。
【００２１】
図５は実施の形態２によるアレイアンテナ装置であって、アレイアンテナ装置のフィードーム部３を回転させたときの様子を示す側面説明図、図６は実施の形態２によるアレイアンテナ装置において使用する作業台の具体的構成を示す斜視図である。また、図７は実施の形態２によるアレイアンテナ装置において送受信モジュールの点検、交換等の整備作業等を行う際の運用状態を示す側面図、図８はその上面図である。図５乃至図８において、１１はフィードーム部３に設けられ、折りたたみ可能に構成された作業台、１２は作業台１１を構成する部材１１ａ及び１１ｂを接続する蝶番、１３はアンテナ装置筐体２に設けられ、アレイアンテナ部１の前面部分がフィードーム部３により覆われた状態としたときにフィードーム部３に設けられた作業台１１を収納する作業台収納部である。作業台１１を構成する部材１１ａ及び１１ｂとしては、フィードーム部３と同じ材料にかぎらず異なる材料を用いてもよく、アレイアンテナ部１によるレーダ電波の送受信の妨げにならない材料を用いる。なお、図中、同一符号は同一又は相当部分を示し、これらについての詳細な説明は省略する。
【００２２】
次に動作について説明する。図５に示すように、送受信モジュール１０を駆動させてレーダ電波を送受信する運用状態のとき、及びこのレーダ電波を送受信する運用状態から送受信モジュールの点検、交換等の整備作業を行うためにフィードーム部３を展開する状態のときには、作業台１１は蝶番１２により折りたたまれた状態となっており、アレイアンテナ部１の寸法が比較的大きい場合にもアレイアンテナ部１の前面部分が作業台１１によって覆われない構成としている。したがって、送受信モジュール１０を駆動している間は、アレイアンテナ部１の前面部分がフィードーム部３によって覆われており、アレイアンテナ部１を風、雨等から保護する一方、アレイアンテナ部１の前面部分が作業台１１によって覆われることを防止し、正常にレーダ電波を送受信することができる。
【００２３】
次に、送受信モジュール１０の整備作業等を行う場合について説明する。送受信モジュール１０の点検、交換等の整備作業を行う場合は、実施の形態１によるアレイアンテナ装置と同様に、フィードーム部３を地面とほぼ垂直方向であって、フィードーム部３の下端部を回転可能に支持した回転部材を支点として回転させて図７及び図８に示すような状態にする。具体的には、巻上げ機６の稼動を停止してフィードーム部３の位置を固定し、さらに折りたたまれた状態の作業台１１を展開して図７及び図８に示すような状態にする。これにより、作業者９等が送受信モジュール１０の点検、交換等の整備交換作業を行う際の足場となる作業台１１を広く構成することができる。作業台１１は部材１１ａ及び１１ｂを蝶番１２で接続して構成したものであり、部材１１ａ及び１１ｂを展開するだけで容易に作業者９等の足場を構成することができる。作業者９等は、車両１４の荷台１４ａからこの作業台１１上に乗って送受信モジュール１０の点検、交換等の整備作業を行う。
【００２４】
以上のように、実施の形態２によるアレイアンテナ装置によれば、フィードーム部３に設けられた作業台１１は、送受信モジュール１０を駆動させてレーダ電波を送受信する場合は折りたたまれてアンテナ装置筐体２の収納部１３に収納され、送受信モジュール１０の点検、交換等を行う場合には展開されて作業者９等の足場として構成されるため、ゴンドラ等の送受信モジュールの整備作業用の追加設備を設けることなく、送受信モジュール１０の点検、交換等の整備作業を行う作業スペースを確保することができる一方、アレイアンテナ部１の寸法が比較的大きく構成される場合、例えば、アレイアンテナ部１のアンテナ開口面を広く構成する場合あるいは複数の周波数を共用するアレイアンテナ装置を構成する場合等であっても、フィードーム部３の寸法を大型化させることなくアレイアンテナ装置を構成することができる。
【００２５】
実施の形態３．
次に、この発明の実施の形態３について図９及び図１０を用いて説明する。実施の形態３では、車両等の移動体上に搭載された移動体搭載型のアレイアンテナ装置について説明する。図９は実施の形態３によるアレイアンテナ装置であって、輸送車等の車両上にアレイアンテナ装置を搭載した様子を示す説明図、図１０は図９の側面図であって、移動体に搭載されたアレイアンテナ装置のフィードーム部３を回転させた様子を示す説明図である。図９及び図１０において、１４ａ及び１４ｂはそれぞれ実施の形態３によるアレイアンテナ装置、１５は電力を供給する発電機、１６はアレイアンテナ装置１４ａ及び１４ｂの送受信動作等を制御する電子機器、１７は輸送車等の車両である。車両１７の荷台１７ａ上にアレイアンテナ装置１４ａ及び１４ｂ、発電機１５及び電子機器１６がそれぞれ搭載される。アレイアンテナ装置１４ａ及び１４ｂとしては、例えば、実施の形態１又は２によるアレイアンテナ装置等を使用することができ、ここでは実施の形態２によるアレイアンテナ装置を使用した場合を例として説明する。なお、図中、同一符号は同一又は相当部分を示し、これらについての詳細な説明は省略する。
【００２６】
図９に示すように、アレイアンテナ装置１４ａ及び１４ｂは、アンテナ装置筐体２の前面側が車両１７の外側を向くようにそれぞれ配置されており、その背面側が互いに対向して配置されている。また、これらアレイアンテナ装置１４ａ及び１４ｂは互いに間隔を設けて配置しているため、アレイアンテナ装置１４ａ及び１４ｂの背面側には空間が形成されており、この空間に各アレイアンテナ装置１４ａ及び１４ｂと発電機１５等とを電気的に接続する配線を配設することができる。これにより、各アレイアンテナ装置１４ａ及び１４ｂと発電機１５等とを電気的に接続する配線が車両１７の外側から目視されず、外観的に良好な移動体搭載型のアレイアンテナ装置を構成することができる。
【００２７】
次に動作について説明する。まず、車両１７が移動する場合、送受信モジュール１０を駆動させてレーダ電波を送受信する場合には、作業者９等が巻上げ機６を操作してワイヤロープ７を巻き上げ、フィードーム部３を図１及び図２に示すような状態に固定する。この状態では、アレイアンテナ部１の前面部分がフィードーム部３によって覆われており、アレイアンテナ部１が風、雨等から保護される。したがって、送受信モジュール１０を駆動している間は、アレイアンテナ部１の前面部分がフィードーム部３によって覆われており、正常にレーダ電波を送受信することができる。また、各アレイアンテナ装置１４ａ及び１４ｂが車両１７の荷台１７ａの範囲内に収まるので、車両１７の移動も容易となる。
【００２８】
次に、送受信モジュール１０の整備作業を行う場合について説明する。送受信モジュール１０の点検、交換等の整備作業を行う場合は、車両１７をなるべく平らな場所に移動させてその場所から車両１７が移動しないよう固定しておく。そして、作業者９等が巻上げ機６を操作してフィードーム部３を図７及び図８に示すような状態にする。具体的には、作業者９等が巻上げ機６を巻上げ方向と逆方向、すなわちワイヤロープ７を伸ばす方向に稼動させることによりワイヤロープ７が巻き戻され、フィードーム部３が回転部材４を中心としてアレイアンテナ部１の前面部分を開放する方向に回転する。そして、フィードーム部３の作業台３ｂの作業面が地面１８とほぼ水平となる位置で巻上げ機６の稼動を停止させ、フィードーム部３の位置を固定することにより、アレイアンテナ部１の前面部分が開放状態となり、アレイアンテナ部１の前面に図７に示すような送受信モジュール１０の点検、交換等の整備作業を行うための作業スペースが構成される。このときフィードーム部３の作業台１１が作業者９等の足場を構成する。作業者９等は、この作業台１１上に乗って送受信モジュール１０の点検、交換等の整備作業を行う。
【００２９】
以上のように、実施の形態３によるアレイアンテナ装置によれば、車両１７が移動する場合あるいは送受信モジュール１０を駆動させてレーダ電波を送受信する場合等には、アレイアンテナ部１の前面部分がフィードーム部３によって覆われた状態となるので、正常にレーダ電波を送受信することができる一方、各アレイアンテナ装置１４ａ及び１４ｂが車両１７の荷台１７ａの範囲内に収まり、車両１７の移動も容易となる。また、送受信モジュール１０を駆動させてレーダ電波を送受信する場合には、作業台１１を展開して作業者９等の足場として構成するため、ゴンドラ等の送受信モジュールの点検、交換等の整備作業用の追加設備を設けることなく、送受信モジュール１０の整備作業を行う作業スペースを確保することができる。移動体搭載型のアレイアンテナ装置においては、ゴンドラ等の送受信モジュール１０の整備作業を行う追加設備を収納するスペースを確保することが困難であり、特に有用である。
【００３０】
実施の形態４．
次に、この発明の実施の形態４についてさらに図１１乃至図１２を用いて説明する。実施の形態１、２によるアレイアンテナ装置では、フィードーム部３を回転させ所定の位置で固定する手段として電動又は作業者９等の手動にて稼動する巻上げ機６、ワイヤロープ７等を使用したが、他の手段を用いてもよい。実施の形態４によるアレイアンテナ装置では、フィードーム部３の回転を手動で行い、所定の位置に固定する手段としてステイを使用する場合について説明する。この実施の形態４によれば、巻上げ機６、ワイヤロープ７等の設備が不要となり、アンテナ装置筐体２の背面に巻上げ機６を設置するスペースを確保することができない場合等にも有用である。
【００３１】
図１１は実施の形態４によるアレイアンテナ装置であって、送受信モジュールを駆動させてレーダ電波を送受信する際の運用状態を示す正面図、図１２は送受信モジュール１０の点検、交換等の整備作業を行う際の運用状態を示す側面図である。図１１及び図１２において、１９はフィードーム部３の上部に設けられた回転機構を有するステイ固定部、２０はステイ固定部１４に回転可能に取り付けられたステイである。ステイ固定部１９及びステイ２０はそれぞれアレイアンテナ部１によるレーダ電波の送受信の妨げにならないような位置に取り付ける必要があり、例えば、図１１に示すように、アレイアンテナ部１の前面部分であるフィードーム３のアンテナ収納部３ａに干渉しない位置に間隔を設けて取り付ける。
【００３２】
次に、送受信モジュール１０の整備作業等を行う場合について説明する。送受信モジュール１０の点検、交換等の整備作業を行う場合は、図１１に示すような状態からフィードーム部３及びステイ２０を回転させて図１２に示すような状態にする。具体的には、フィードーム部３は回転部材４を介してアンテナ装置筐体２に回転可能に取り付けられているので、フィードーム部３を図１１に示すようなアレイアンテナ部１の前面部分を覆った状態からアレイアンテナ部１の前面部分を開放する方向に回転させることが可能であり、図１２に示すようなフィードーム部３の作業台３ｂが地面とほぼ水平になるような位置まで回転させる。一方、ステイ２０はステイ固定部１９を介してフィードーム部３の上部に取り付けられているので、図１１に示すようなフィードーム部３に沿って配置された状態からアンテナ装置筐体２から離れる方向に回転可能であり、フィードーム部３の作業台３ｂを地面とほぼ水平になるような位置に固定できる位置まで回転させる。これにより、アレイアンテナ部１の前面部分が開放状態となり、アレイアンテナ部１の前面部分に図１２に示すような送受信モジュール１０の点検、交換等を行うための作業スペースが構成される。このときフィードーム部３の作業台３ｂが作業者９等の足場を構成する。作業者９等は、この作業台３ｂ上に乗って送受信モジュール１０の点検、交換等の整備作業を行う。
【００３３】
なお、ステイ２０の長さを一定とした場合には、アレイアンテナ部１の設置状況等によってはフィードーム部３の作業台３ｂを地面とほぼ水平な位置に固定することができない。そこで、長さ調節が可能な構造を有したステイをステイ固定部１９に取り付けるようにしてもよい。図１３は長さ調節が可能な構造を有したステイを設けたアレイアンテナ装置を示す側面図であり、ステイ２０の代わりに長さ調節が可能な構造を有したステイ２０ａをステイ固定部１９に取り付けている。このような構成とすることにより、アレイアンテナ部１の傾き等の設置状況が変化したり任意の高さに設置されるような場合であっても、フィードーム部３の作業台３ｂを所定の位置に固定することができ、作業者９等が送受信モジュール１０の点検、交換等の整備作業を行うことができる。
【００３４】
以上のように、実施の形態４によるアレイアンテナ装置によれば、ステイ固定部１９を支点としてステイ２０又は２０ａが地面に対してほぼ垂直となる位置まで回転移動し、ステイ２０又は２０ａの先端を地面に接地してフィードーム部３の位置を固定するので、巻上げ機６等を用いることができない構造のアンテナ装置でも、作業者９等がフィードーム部３の作業台３ｂ上に乗って送受信モジュール１０の点検、交換等の整備作業を行うことができる。なお、実施の形態４によるアレイアンテナ装置を図９及び図１０に示すように車両１７等の移動体上に設置することも可能である。特に長さ調節が可能な構造を有したステイ２０ａの場合はフィードーム部３の位置を自由に変更できるので、車両１７上の設置高さの自由度を向上させることができる。
【００３５】
実施の形態５．
次に、この発明の実施の形態５についてさらに図１４及び図１５を用いて説明する。実施の形態４によるアレイアンテナ装置では、ステイ１５又は１５ａを用いてフィードーム部３の位置を所定の位置に固定したが、他の手段を用いてもよい。実施の形態５によるアレイアンテナ装置では、ステイ１５又は１５ａの代わりにガセットと呼ばれる部材を用いてフィードーム部３を所定の位置に固定する場合について説明する。この実施の形態５によれば、ステイ２０又は２０ａを用いる場合と比較して、フィードーム部３を所定の位置に固定する手段を小規模に構成することができる。
【００３６】
図１４は実施の形態５によるアレイアンテナ装置であって、送受信モジュールを駆動させてレーダ電波を送受信する際の運用状態を示す正面図、図１５は送受信モジュール１０の点検、交換等の整備作業を行う際の運用状態を示す側面図である。図１４及び図１５において、２１はそれぞれフィードーム部３に設けられた蝶番、２２は蝶番２１に取り付けられたガセットである。ガセット２２は蝶番２１を支点にしてそれぞれ回転する。また、ガセット２２の形状・取り付け位置については、アレイアンテナ部１によるレーダ電波の送受信の妨げにならず、図１４に示すようなフィードーム３のアンテナ収納部３ａと干渉しない構造とする。そして、フィードーム部３の展開時に回転部材４と接触しないように、逃げ穴等を設けておく。一方、アンテナ装置筐体２には、フィードーム部３を展開して送受信モジュール１０の点検、交換等の整備作業を行う運用状態としたときにフィードーム部３の作業台３ｂが地面とほぼ水平状態に保持できるようにガセット２２の当たり面を設けておく。このような構成とすることにより、フィードーム部３の回転位置が上述したような所定位置に固定され、作業者９等が作業台３ｂ上に乗って送受信モジュール１０の点検、交換等の整備作業を行うことができる。
【００３７】
以上のように、実施の形態５によるアレイアンテナ装置によれば、蝶番２１を支点としてガセット２２が地面に対してほぼ垂直の位置まで回転移動し、フィードーム部３の位置を所定の位置に固定するので、巻上げ機６等を用いることができない構造のアンテナ装置でも、作業者９等がフィードーム部３の作業台３ｂ上に乗って送受信モジュール１０の点検、交換等の整備作業を行うことができる。また、フィードーム部３の回転位置を固定する手段をステイ固定部１９及びステイ２０又は２０ａを用いる場合よりも小規模な構成とすることができる。なお、実施の形態５によるアレイアンテナ装置を図９及び図１０に示すように車両１７等の移動体上に設置することも可能である。
【図面の簡単な説明】
【００３８】
【図１】実施の形態１によるアレイアンテナ装置であって、送受信モジュールを駆動させてレーダ電波を送受信する際の運用状態を示す正面図である。
【図２】実施の形態１によるアレイアンテナ装置であって、送受信モジュールを駆動させてレーダ電波を送受信する際の運用状態を示す側面図である。
【図３】実施の形態１によるアレイアンテナ装置であって、送受信モジュールの点検、交換等の整備作業等を行う際の運用状態を示す側面図である。
【図４】実施の形態１によるアレイアンテナ装置であって、送受信モジュールの点検、交換等の整備作業等を行う際の運用状態を示す上面図である。
【図５】実施の形態２によるアレイアンテナ装置であって、アレイアンテナ装置のフィードーム部３を回転させたときの様子を示す側面説明図である。
【図６】実施の形態２によるアレイアンテナ装置に使用される作業台の具体的構成を示す斜視図である。
【図７】実施の形態２によるアレイアンテナ装置であって、送受信モジュールの点検、交換等の整備作業等を行う際の運用状態を示す側面図である。
【図８】実施の形態２によるアレイアンテナ装置であって、送受信モジュールの点検、交換等の整備作業等を行う際の運用状態を示す上面図である。
【図９】実施の形態３によるアレイアンテナ装置であって、輸送車等の車両上にアレイアンテナ装置を搭載した様子を示す説明図である。
【図１０】実施の形態３によるアレイアンテナ装置であって、車両上に搭載されたアレイアンテナ装置のフィードーム部３を回転させた様子を示す説明図である
【図１１】実施の形態４によるアレイアンテナ装置であって、送受信モジュールを駆動させてレーダ電波を送受信する際の運用状態を示す正面図である。
【図１２】実施の形態４によるアレイアンテナ装置であって、送受信モジュールの点検、交換等の整備作業を行う際の運用状態を示す側面図である。
【図１３】実施の形態４によるアレイアンテナ装置であって、長さ調節が可能な構造を有したステイを設けたアレイアンテナ装置の送受信モジュールの点検、交換等の整備作業を行う際の運用状態を示す側面図である。
【図１４】実施の形態５によるアレイアンテナ装置であって、送受信モジュールを駆動させてレーダ電波を送受信する際の運用状態を示す正面図である。
【図１５】実施の形態５によるアレイアンテナ装置であって、送受信モジュールの点検、交換等の整備作業を行う際の運用状態を示す側面図である。
【符号の説明】
【００３９】
１  アレイアンテナ部（フェーズドアレイアンテナ部）、
２  アンテナ装置筐体（プレート）、
３  フィードーム部、３ａ  アンテナ収納部、３ｂ，１１  作業台、
４  回転部材、５  ワイヤロープ固定部、６  巻上げ機、７  ワイヤロープ、
８  ワイヤロープ通し穴、９  作業者、１０  送受信モジュール、
１１ａ，１１ｂ  作業台部材、１２  蝶番、１３  作業台収納部、
１４  アレイアンテナ装置、１５  発電機、１６  電子機器、
１７  車両、１７ａ荷台、
１９  ステイ固定部、２０  ステイ、２０ａ  長さ調節機構付ステイ、
２１  蝶番、２２  ガセット。
【図１】
2006093997.tif 000003
【図２】
2006093997.tif 000004
【図３】
2006093997.tif 000005
【図４】
2006093997.tif 000006
【図５】
2006093997.tif 000007
【図６】
2006093997.tif 000008
【図７】
2006093997.tif 000009
【図８】
2006093997.tif 000010
【図９】
2006093997.tif 000011
【図１０】
2006093997.tif 000012
【図１１】
2006093997.tif 000013
【図１２】
2006093997.tif 000014
【図１３】
2006093997.tif 000015
【図１４】
2006093997.tif 000016
【図１５】
2006093997.tif 000017